【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
以下を含む装置：
ブリスターパックに取り付け可能なケース（以下、ハウジングということもある）；
ブリスターパックから薬である錠剤が取り出されたことを感知するセンサーであって、これには少なくとも一つ以上のカメラが含まれる；
及び、以下のように設定されているコントローラー、
ハウジングに取り付け可能で錠剤を服用するタイミングパラメーターを決めるように設定され、
少なくとも一つのセンサーからシグナルを受信する、
このシグナルにはカメラでキャプチャーされたブリスターパックの画像を含み、
錠剤がブリスターパックから取り出されたかどうかをシグナルに基づいて決定し、
タイミングパラメーターに基づいたタイムピリオド内にブリスターパックから錠剤が取り出されていない場合、錠剤の服用を知らせるシグナルを出力ユニットに送る、
装置。
【請求項２】
請求項１に記載の装置であって、出力ユニットが音声デバイス、振動デバイス、発光デバイスのいずれか一つ以上を含む、装置。
【請求項３】
請求項１又は２に記載の装置であって、一日に服用する錠剤の数、錠剤を服用する時間、各回に服用されるべき錠剤の数若しくは量、のうち少なくとも一つに基づいてタイミングパラメーターは決定される、装置。
【請求項４】
請求項１〜３のいずれか一に記載の装置であって、リモートデバイスと通信するための通信ユニットを備え、出力ユニットがリモートデバイスのディスプレイであり、コントローラーがリモートデバイスにお知らせシグナルを送信するように設定されており、コントローラーがリモートデバイスからタイミングパラメーターを受診するように設定されている、装置。
【請求項５】
請求項１〜４のいずれか一に記載の装置であって、2つのカメラからなる一つ以上のセンサーを有し、最初のカメラがブリスターパックの錠剤の画像をキャプチャーするように配置され、２番目のカメラがブリスターパクの切り取り可能なホイルの画像をキャプチャーするように配置されている、装置。
【請求項６】
請求項１〜５のいずれか一に記載の装置であって、ブリスターの切り取り可能なホイルに接続された一つまたはそれ以上の導線内の切断を感知するデバイスを少なくとも一つのセンサーが含み、シグナルは少なくとも一つの電子回路の切断を感知する、装置。
【請求項７】
以下から構成される装置：
ブリスターパックに取り付け可能なケース（以下、ハウジングということもある）；
ハウジングに取り付けられ、ブリスターパックから薬である錠剤が取り出されたことを感知するセンサーを有し；
及び、以下のように設定されているコントローラー、
錠剤を服用するタイミングパラメーターを決め、
一つ以上のセンサーからシグナルを受信し、
錠剤がブリスターパックから取り出されたかどうかをシグナルに基づいて決定し、
タイミングパラメーターに基づいたタイムピリオド内にブリスターパックから錠剤が取り出されていない場合、錠剤の服用を知らせるシグナルを出力ユニットに送り、
開始のシグナルを受信し、この開始のシグナルは錠剤のブリスターパックに取り付けられた時点であり、また開始のシグナルはカメラから受信したブリスターパックの画像であり、及びタイミングパラメーターが開始のシグナルに基づいて決定される、
装置。
【請求項８】
以下を含む方法：
薬である錠剤を服用するタイミングパラメーターを決め；
一つ以上のセンサーからシグナルを受信し、カメラを有するセンサーがブリスターパックから錠剤が取り出されたことを感知するように配置され、そのシグナルがカメラでキャプチャーされたブリスターパックの一枚以上の画像を含み；
錠剤がブリスターパックから取り出されたかどうかをシグナルに基づいて決定し、タイミングパラメーターに基づいたタイムピリオド内にブリスターパックから錠剤が取り出されていない場合、錠剤の服用を知らせるシグナルを出力ユニットに送る、
方法。
【請求項９】
請求項８に記載の方法であって、
一日に服用する錠剤の数、少なくとも一つの錠剤を服用する時間、各回に服用される錠剤の数若しくは量、のうち少なくとも一つに基づいてタイミングパラメーターは決定される、方法。
【請求項１０】
請求項８又は９に記載の方法で、さらに以下を含む；
錠剤に関するデータを受信し、この錠剤に関するデータに基づいてタイミングパラメーターを決定し、錠剤に関するデータをリモートデバイス、データベース、ブリスターパックに関連した読み込み可能なエレメントのうち少なくとも一つから受信される、方法。
【請求項１１】
請求項８〜１０のいずれか一に記載の方法で、次のように構成される；
ユーザー関連データを受信し、このユーザー関連データに基づきタイミングパラメーターを決め、ユーザー関連データをリモートデバイス若しくはデータベースから受信する、方法。
【請求項１２】
請求項８〜１１のいずれか一に記載の方法であって、音声シグナル、光シグナル、振動、リモートデバイスのディスプレイでの通知、からお知らせシグナルは選択される、方法。
【請求項１３】
請求項８〜１２のいずれか一に記載の方法であって、さらに以下を含む、
ユーザーによるブリスターパックからの錠剤の取り出しを感知し、取り出しに関連したそれぞれの履歴を含む、二つまたはそれ以上の履歴シグナルのデータベースからの受信、
タイミングパラメーターの決定は受信された二つまたはそれ以上の履歴シグナルに基づく、
方法。
【請求項１４】
請求項８〜１３のいずれか一に記載の方法であって、さらに以下を含む；
錠剤の誤使用の識別及び誤使用警報を発生させ、ユーザーへの通知送信、ユーザーの介護者への通知送信、ユーザーの親族への通知送信、医療機関への通知送信、のうち少なくとも一つをおこなう、誤使用警報の発行を含む、方法。
【請求項１５】
請求項８〜１４のいずれか一に記載の方法であって、さらに以下を含む；
センサーからの認証のシグナルを受信し、その認証のシグナルに基づいてブリスターパックを認証する、
方法。
【請求項１６】
請求項８〜１５のいずれか一に記載の方法であって、さらに以下を含む；
カメラからのブリスターパックの切り取り可能なホイルの画像を受信し、受信した画像に基づいたブリスターパック内の錠剤のタイプを識別する、方法。
【請求項１７】
以下を含むシステム：
以下のように設定された処理ユニット；
薬である錠剤を服用するタイミングパラメーターを決め、
リモートセンサーからシグナルをネットワークを介して受信し、リモートセンサーの一つ以上はカメラを有するものであり、ブリスターパックから錠剤が取り出されたことを感知するように配置されるもので、このシグナルにはカメラでキャプチャーされたブリスターパックの一枚以上の画像を含み、
錠剤がブリスターパックから取り出されたかどうかをシグナルに基づいて決定し、タイミングパラメーターに基づいたタイムピリオド内にブリスターパックから錠剤が取り出されていない場合、錠剤の服用を知らせるシグナルを出力ユニットに送る、
システム。
【請求項１８】
請求項１７に記載のシステムであって、
一日に服用する錠剤の数、少なくとも一つの錠剤を服用する時間、各回に服用される錠剤の数若しくは量、のうち少なくとも一つに基づいてタイミングパラメーターは決定される、システム。
【請求項１９】
請求項１７または請求項１８に記載のシステムであって、処理ユニットは以下のようにさらに設定されている、
リモートデバイス若しくはデータベースからユーザー関連データを受信する、
ユーザー関連データに基づいた2番目の薬の服用のために間隔時間を決定する、
システム。
【請求項２０】
請求項１７〜１９のいずれか一に記載のシステムであって、処理ユニットは以下のようにさらに設定されている、
錠剤の誤使用を識別し、
誤使用警報を発生させるもので、誤使用警報は使用者への通知、使用者の介護者への通知、使用者の家族への通知、医療機関への通知、のうちの少なくとも一つを含む、
システム。
【請求項２１】
請求項１７〜２０のいずれか一に記載のシステムであって、処理ユニットは以下のようにさらに設定されている、
カメラからのブリスターパックの切り取り可能なホイルの画像を受信し、受信した画像に基づいたブリスターパック内の錠剤のタイプを識別する、
システム。